(57)【要約】【課題】既存の搾乳ポンプをマッサージ装置に転換して使用できるようにするための手段を提供すること。【解決手段】本発明のマッサージ装置は、搾乳ポンプとの間での転換を容易に行うことができるようにするマッサージアダプタリングを使用している。より詳細には、本発明のマッサージ装置は、搾乳ポンプと共に使用するためのものであって、キャップ及び可撓性のダイヤフラムによって形成される密閉室と、密閉室を形成するためにダイヤフラムをキャップに対して保持するように構成されたアダプタリングと、搾乳ポンプと連通する密閉室からの空気通路とを備え、密閉室はマッサージ機能を奏するために膨張及び収縮するようになっている。【選択図】  図１
2021531055.tif 000002
【特許請求の範囲】
【請求項１】
搾乳ポンプと共に使用するためのマッサージ装置であって、
キャップ及び可撓性のダイヤフラムによって形成される密閉室と、
前記密閉室を形成するために前記ダイヤフラムを前記キャップに対して保持するように構成されたアダプタリングと、
前記搾乳ポンプと連通する前記密閉室からの空気通路と
を備え、
前記密閉室がマッサージ機能を奏するために膨張及び収縮する、マッサージ装置。
【請求項２】
前記密閉室が前記搾乳ポンプの動作に従って膨張及び収縮する、請求項１に記載のマッサージ装置。
【請求項３】
前記可撓性のダイヤフラムは、前記アダプタリングが前記ダイヤフラムを前記キャップに対して保持することを可能にするために周縁部を有する、請求項１に記載のマッサージ装置。
【請求項４】
前記キャップがタブを有し、前記アダプタリングが、前記タブを受け入れるために対応するキャッチを有する、請求項１に記載のマッサージ装置。
【請求項５】
前記対応するキャッチが、前記アダプタリングを前記キャップに対して回転させて前記アダプタリングを前記キャップに固定するようにＬ字形である、請求項４に記載のマッサージ装置。
【請求項６】
前記キャップが複数のタブを有し、前記アダプタリングが各タブに対応する複数のキャッチを有する、請求項４に記載のマッサージ装置。
【請求項７】
前記可撓性のダイヤフラムが、目標マッサージ領域とより良く接触できるようにするためにくぼみを有する、請求項１に記載のマッサージ装置。
【請求項８】
前記可撓性のダイヤフラムが、マッサージの目標領域との接触を向上させるための溝を有する、請求項１に記載のマッサージ装置。
【請求項９】
前記可撓性のダイヤフラムが、マッサージの目標領域との接触を向上させるための隆起リッジを有する、請求項１に記載のマッサージ装置。
【請求項１０】
前記可撓性のダイヤフラムが内側の隆起リッジ及び外側の隆起リッジを有し、前記搾乳ポンプによる真空の大きさが、どの隆起リッジが屈曲するかを決定することになる、請求項１に記載のマッサージ装置。
【請求項１１】
前記搾乳ポンプが、マッサージを行うためにリズミカルに動作する、請求項２に記載のマッサージ装置。
【請求項１２】
前記搾乳ポンプが、マッサージを行うために長時間の一定の真空を与えるように動作する、請求項２に記載のマッサージ装置。
【請求項１３】
前記搾乳ポンプが、マッサージを行うために真空を徐々に変化させる、請求項２に記載のマッサージ装置。
【請求項１４】
前記キャップ及び前記ダイヤフラムが、母乳を搾り出すために外部アタッチメントと共に使用される、請求項１に記載のマッサージ装置。
【発明の詳細な説明】
【技術分野】
【０００１】
[0001]本発明は、マッサージ装置に関し、特に負の真空（ｎｅｇａｔｉｖｅ  ｖａｃｕｕｍ）を使用して身体の一部分をもみ且つこの一部分に圧力をかけるマッサージ装置に関する。このマッサージ装置は、母親が母乳を搾り出すのを助ける搾乳ポンプ（ｂｒｅａｓｔ  ｐｕｍｐ）に、或いは搾乳ポンプから転換され得る。
【背景技術】
【０００２】
[0002]様々な種類のマッサージ装置が市場で消費者が入手することができる。これらのマッサージ装置は、大型のマッサージチェア及びマッサージ台から小型のハンドヘルド装置に及ぶが、単一の目的のために設計されているという共通の特徴を共有することができる。
【０００３】
[0003]マッサージ機能をもたらす一つの方法は、限定空間中の空気圧を変化させることによるものであり、これは、モータが空気を押し出す正の真空（ｐｏｓｉｔｉｖｅ  ｖａｃｕｕｍ）としたり、吸引効果を生み出してもみ且つ圧力をかけるために空気が使用され得る負の真空又は吸引運動としたりすることができる。
【０００４】
[0004]最新の搾乳ポンプ装置は通常、負の真空を使用して哺乳瓶に母乳を吸い込み、母親が赤ちゃんのために母乳を搾乳するのを助ける。搾乳ポンプをマッサージ装置に転換することができれば理想的ではあるが、現在の従来型搾乳ポンプの設計では容易に転換ができないことに留意されたい。
【０００５】
[0005]したがって、ユーザの過度の労力なしに、既存の搾乳ポンプとの間で転換することができるマッサージ装置が求められている。
【発明の概要】
【０００６】
[0006]本発明によるマッサージ装置によって上記及びその他の問題は解決され、当技術分野の改善がなされる。本発明によるマッサージ装置の第１の利点は、搾乳ポンプがマッサージ装置に転換され得ることである。これにより、既存製品の二重用途が可能になり、母親は子供のために母乳を搾り出す前後に敏感な領域をマッサージすることができる。本発明によるマッサージ装置の第２の利点は、マッサージアダプタリングがダイヤフラムを気密にシールして、マッサージ機能を与えるために十分な負の真空が確実に作り出されることである。
【０００７】
[0007]本発明のマッサージ装置は、搾乳ポンプ又は空気圧の変化をもたらすことができる何らかのポンプを転換することに基づいており、マッサージアダプタリングがダイヤフラム上に取り付けられ、ダイヤフラムをマッサージ装置に転換することができる。途切れることのない増加的又は減少的なマッサージ機能をもたらしたり、リズミカルなマッサージ機能をもたらしたりするために、真空がその度合いを増加又は変化させて適用され得る。
【０００８】
[0008]本発明の一実施形態によれば、搾乳ポンプと共に使用するためのマッサージ装置が提供され、このマッサージ装置は、キャップ及び可撓性ダイヤフラムによって形成された密閉室と、密閉室を形成するためにダイヤフラムをキャップに対して保持するように構成されたアダプタリングと、搾乳ポンプと連通する密閉室からの空気通路とを備え、密閉室は、マッサージ機能を奏するために膨張及び収縮する。好ましくは、密閉室は、搾乳ポンプの動作に従って膨張及び収縮する。代替的な実施形態では、可撓性ダイヤフラムは、アダプタリングがダイヤフラムをキャップに対して保持することを可能にするための周縁部を有する。他の実施形態では、キャップはタブを有し、アダプタリングは、タブを受け入れるために対応するキャッチ（受け部）を有する。他の実施形態では、対応するキャッチは、アダプタリングをキャップに対して回転させてアダプタリングをキャップに固定するようにＬ字形である。他の代替的な実施形態では、キャップは複数のタブを有し、アダプタリングは各タブに対応する複数のキャッチを有する。
【０００９】
[0009]別の態様では、可撓性ダイヤフラムは、目標マッサージ領域とより良く接触できるようにするためにくぼみを有する。或いは、本発明の一実施形態では、マッサージの目標領域との接触を改善するための溝を有する可撓性ダイヤフラムを記述している。別の態様では、可撓性ダイヤフラムは、マッサージの目標領域との接触を向上させるための隆起リッジ（ｒａｉｓｅｄ  ｒｉｄｇｅ）を有する。本発明の実施形態の別の態様では、可撓性ダイヤフラムは内側の隆起リッジ及び外側の隆起リッジを有し、搾乳ポンプによる真空の度合いが、どの隆起リッジが屈曲するかを決定することになる。
【００１０】
[0010]本発明による他の実施形態では、搾乳ポンプは、マッサージを行うためにリズミカルに動作する。他の実施形態では、搾乳ポンプは、マッサージを行うために長時間の一定の真空を与えるように動作する。或いは、搾乳ポンプは、マッサージを行うために真空を徐々に変化させる。別の実施形態では、キャップ及びダイヤフラムは、母乳を搾り出すために外部アタッチメントと共に使用される。
【００１１】
[0011]本発明は、本発明に従って構成されたマッサージ装置を示す添付の図面を参照して例として説明される。添付の図面は、本明細書に組み込まれ本明細書の一部を形成するものであり、本開示の様々な実施形態を示しており、説明と共に本開示の原理を説明し、さらに当業者が本明細書で開示される実施形態を製作し使用することを可能にするのに役立つ。図面において、同様の参照番号は、同じ又は機能的に類似した要素を示す。
【図面の簡単な説明】
【００１２】
【図１】マッサージアダプタリングが取り付けられたマッサージ装置に転換された搾乳ポンプの概略システムの図である。
【図２Ａ】マッサージ装置のマッサージアダプタリングの輪郭部の図である。
【図２Ｂ】マッサージ装置のマッサージアダプタリングの輪郭部の別の図である。
【図３】マッサージアダプタリング及びシリコンダイヤフラムの断面図である。
【図４Ａ】第１の使用段階でのマッサージアダプタリング及びシリコンダイヤフラムの断面図である。
【図４Ｂ】第２の使用段階でのマッサージアダプタリング及びシリコンダイヤフラムの断面図である。
【図４Ｃ】第３の使用段階でのマッサージアダプタリング及びシリコンダイヤフラムの断面図である。
【図４Ｄ】第４の使用段階でのマッサージアダプタリング及びシリコンダイヤフラムの断面図である。
【図５】本発明の一実施形態で使用するための搾乳ポンプの側面図である。
【図６Ａ】本発明の一実施形態がどのようにして使用されるかを段階的に示す図の一つである。
【図６Ｂ】本発明の一実施形態がどのようにして使用されるかを段階的に示す別の図である。
【図６Ｃ】本発明の一実施形態がどのようにして使用されるかを段階的に示す別の図である。
【図６Ｄ】本発明の一実施形態がどのようにして使用されるかを段階的に示す別の図である。
【発明を実施するための形態】
【００１３】
[0018]非限定的な例で論じられる様々な構成は、変更することができ、少なくとも１つの実施形態を例示するために使用され、その実施形態の範囲を限定するものではない。
【００１４】
[0019]図面を参照すると、図１は、マッサージアダプタリング７が装着された代表的な搾乳ポンプシステム１００の概略図を示している。その図には、電動搾乳ポンプ１の動作を制御するために示されている制御ボタンを有する電動搾乳ポンプ１が見られる。電動搾乳ポンプ１は、バルブポート又はバルブポンプ（図５に示す）を用いて真空又は圧力変化を与えることができ、バルブポート又はバルブポンプは、一端が電動搾乳ポンプ１に接続され他端が漏斗状キャップ又はキャップ３内で終端する可撓性シリコンチューブ２に沿って負の真空を引き起こし得る。また、制御ボタンにより電動搾乳ポンプ１は様々な方法で負の真空を与えることができ、様々な方法には、一定の圧力若しくは真空と、高い圧力若しくは真空と、間欠的な圧力若しくは真空又は低い圧力若しくは真空とを有する安定したリズミカルな態様、又はユーザによって選定若しくは選択される他のカスタマイズされたタイミングが含まれる。空気の流れを方向付けるために、又は空気圧の変化を助けるために、チューブのバルブが漏斗状キャップ３の後ろに配置され得る。漏斗状キャップ３は、シリコンダイヤフラム４を有し、この段階まで、示されるすべての部品は、搾乳ポンプシステムに属するか、又は搾乳ポンプシステムで使用され得る。また、システムをマッサージ装置に転換するマッサージリングアダプタ７が取り付けられていることが示されている。マッサージアダプタリング７は、負の真空がシリコンダイヤフラムの振動をもたらすことを可能にする適切なシールを形成することができる。これに関するさらなる詳細については図４を使用して後述する。マッサージは、適切なシールを可能にするためにシリコンダイヤフラムと接触する皮膚の量を制限することができる。マッサージアダプタリング７のさらなる例が、図２Ａ及び図２Ｂに見られる。また、いくつかの例示的な寸法、並びにマッサージアダプタリング７の輪郭部も示されている。マッサージアダプタリング７上のキャップ固定用のキャッチ８は、マッサージアダプタリング７が漏斗状キャップ３に取り付けられるとき、シリコンダイヤフラムに適切なテンションとシールをもたらす。漏斗状キャップ３は、タブ、スナップファスナ、ねじ、クリップなどを含む様々な手段を用いて固定又は結合することができ、マッサージアダプタリング７は、漏斗状キャップ３にしっかりと且つぴったりと取り付けることができる。この例では、1本のシリコンチューブと対応する漏斗状キャップ及びダイヤフラムとが説明されるが、電動搾乳ポンプは、複数のシリコンチューブ（例えば、電動搾乳ポンプに接続された２本のシリコンチューブを有し、これらのシリコンチューブにはそれぞれそれの漏斗状キャップ及びダイヤフラムが配置される）に同時に接続され得る。これらの例では、ダイヤフラムの一方又は両方がマッサージ機能に転換され得る。
【００１５】
[0020]漏斗状キャップ３はタブを有することができ、マッサージアダプタリング７は、タブをキャッチ８上で摺動又は固定させることにより、漏斗状キャップ３上にしっかりと且つぴったりと取り付けることができる。キャッチ８は、タブがアダプタリングに滑り込みアダプタリングを所定の位置にロックできるようにするＬ字型の溝とすることができる。図２Ａ及び図２Ｂに見られるように複数のタブ及びキャッチを使用することもでき、図２Ａ及び図２Ｂには、アダプタリング上に３つのキャッチが示されている。マッサージアダプタリング７はまた、持上げタブを有するように示されているが、持上げタブにより、漏斗状キャップ３又はシリコンダイヤフラム４に対してマッサージアダプタリングを装着したり除去したりするためのより良い把持が可能になり得る。
【００１６】
[0021]もう少し近くで見ると、図３は、シリコンダイヤフラム４を有するマッサージアダプタリング７の断面を示す。また、ダイヤフラム４の周縁部をキャップ３に押し付けて固定するマッサージアダプタリング７の底縁部５も示されている。いくつかの実施形態では、ダイヤフラム及び漏斗状キャップを単一部片で製作することができれば、これにより、より良好なシールが可能になり、漏れが防止されるであろう。この実施形態では、マッサージアダプタリングは、溝及びリッジを設けるとともに、マッサージアダプタリングの高さを変化させてダイヤフラムとマッサージの目標領域との間の適切な接触を可能にするために使用され得る。
【００１７】
[0022]マッサージリングアダプタは、シリコンダイヤフラムを漏斗状キャップに固定するとともに、真空シールを確実にすることができる。マッサージアダプタリングは、漏斗状キャップ上のタブキャッチで密封閉鎖を維持して、ダイヤフラム４及び漏斗状キャップ３によって形成される閉鎖空間を形成することができる。マッサージアダプタリングは、このリングの高さを用いてシリコンダイヤフラムによってもたらされる適量の振動力（ｕｎｄｕｌａｔｉｎｇ  ｆｏｒｃｅ）を与えることができる。マッサージアダプタリングは、ダイヤフラムに対するリングの高さを変えることにより、シリコンダイヤフラムへの皮膚接触量を制限することができる。
【００１８】
[0023]いくつかの実施形態では、マッサージアダプタリング又はシリコンダイヤフラムがユーザへの快適さを高めるために加熱又は加温されるように、加熱要素が追加され得る。この加熱要素は、搾乳ポンプと同じ電源に接続することができる、又は搾乳ポンプ自体から接続することもできる。
【００１９】
[0024]図４Ａ、図４Ｂ、図４Ｃ及び図４Ｄは、マッサージ機能を与えるためにマッサージアダプタリング７と共に働くシリコンダイヤフラム４の断面を示す。皮膚９がシリコンダイヤフラムと接触した状態にされると（図４Ｂ）、ダイヤフラムの露出したリッジは、２次シールをもたらすことによりマッサージ機能を助けることができる。マッサージアダプタリングの輪郭部は、マッサージアダプタリング又はマッサージアダプタリングリップ６の縁部を使用して、皮膚の表面がダイヤフラムに近すぎるところに或いはダイヤフラムから遠すぎるところに押動するのを防ぐことができる。ダイヤフラムのリッジ１０は、皮膚に密着して真空を作り出すことができる。電動搾乳ポンプによって低真空が作用されると、ダイヤフラムの内側リッジが皮膚を引っ張り、負の真空としても知られる吸引効果１１を生み出し始める。より高い負の真空では、ダイヤフラムの内側リッジ１２は皮膚から引き離され、ダイヤフラム１３の外側リッジは皮膚をダイヤフラムの中心に向かって引っ張ってさらに高い真空引きを作り出す。
【００２０】
[0025]電動搾乳ポンプ１の様々なアクセスポートは、図５に示す側面図に見られる。バルブポート１４が見られ、バルブポート１４は、特定の方向への空気の流れを可能にするだけで、電動搾乳ポンプ１がシリコンチューブ（図５には示されていない）に沿って圧力の変化をもたらすのを助ける。電動搾乳ポンプの場合、この空気の流れは、シリコンチューブに沿って負の真空を引き起こし、負の真空は、それに応じてダイヤフラムを収縮させ、ユーザが母乳を搾り出すのを助ける。前述の負の真空は、マッサージアダプタリング（図５には示されていない）がダイヤフラムに装着されて、システムをマッサージ装置に変換するときに使用され得る。電気ポート又は電子ポート１５が見られ、電気ポート又は電子ポート１５は、このポート経由で電流を送ることにより電動搾乳ポンプに動力が供給されることを可能にするか、又は電動搾乳ポンプが外部計算装置を使用してプログラムされることを可能にする。
【００２１】
[0026]搾乳ポンプに使用されるキャップ３及びダイヤフラム４のマッサージ装置への転換は、図６Ａ、図６Ｂ、図６Ｃ及び図６Ｄに見られる。ダイヤフラム４は、図６Ａで搾乳ポンプとして使用するために通常通り漏斗状キャップ又はキャップ３上に取り付けられる。しかしながら、搾乳ポンプの漏斗（図示せず）上にキャップを取り付けるのではなく、代わりにマッサージアダプタリング７が取り付けられる。この取付けは、ダイヤフラム４の縁部の上及び周囲にマッサージアダプタリング７を取り付けて、キャップ３のタブがマッサージアダプタリング７のキャッチ８と係合するようにすること、及び、マッサージリング７をキャップ３に対してねじって、キャップ３のタブがキャッチ８に沿って摺動するようにすることによって行われ、マッサージアダプタリング７を所定の位置に固定し、それによってダイヤフラム４を所定の位置に保持し、図６Ｂに見られるようにキャップ３と共に密閉空間を形成する。このねじる動きは、マッサージアダプタリング７上の持上げタブによって補助されてもよく、マッサージアダプタリング７が所定の位置に固定されるときにカチッという音を感じる又は聞くことができる。次いで、搾乳ポンプに使用される可撓性チューブ２は、このチューブ２が図６Ｃで搾乳ポンプとして使用されるときのように、漏斗状キャップ３に装着される。キャップ３（可撓性チューブ２が装着されている）は、マッサージの目標領域に押し付けられて、ダイヤフラム４が目標領域、すなわち人の皮膚を押し付け、搾乳ポンプが作動される。これにより、使用されるダイヤフラムのタイプ並びに搾乳ポンプの動作モードに応じて、穏やかなカッピング及び／又はもむ感覚がもたらされることになる。搾乳ポンプは、マッサージアダプタリング７がキャップ３上に取り付けられると作動される特定のマッサージモードを有することもできる。
【００２２】
[0027]上述の装置及び方法は、様々なマッサージ機能、特に負の真空を使用するマッサージ機能に使用される。他の実施形態は、特に脈動運動でマッサージ機能をもたらすために正の空気圧を使用することもできる。これは、搾乳ポンプが空気を吸い込むか搾乳ポンプが空気を送り出すかで、搾乳ポンプの動作に依存する。他の実施形態は、搾乳ポンプを、水を吸い込み且つ水を送り出すのに適合させることを含む。これは、ウォームマッサージのカッピング又はもむ機能を提供するプロセスで水が温められる場合に有用である。
【００２３】
[0028]以上、本発明について図面を参照して十分に説明した。本発明は、これらの好ましい実施形態に基づいて説明されたが、当業者には、本発明の精神及び範囲内にとどまりながら、特定の修正形態、変形形態、及び代替構造があることは明らかであろう。
【図１】
2021531055.tif 000003
【図２Ａ−２Ｂ】
2021531055.tif 000004
【図３】
2021531055.tif 000005
【図４Ａ】
2021531055.tif 000006
【図４Ｂ】
2021531055.tif 000007
【図４Ｃ】
2021531055.tif 000008
【図４Ｄ】
2021531055.tif 000009
【図５】
2021531055.tif 000010
【図６Ａ】
2021531055.tif 000011
【図６Ｂ】
2021531055.tif 000012
【図６Ｃ】
2021531055.tif 000013
【図６Ｄ】
2021531055.tif 000014
【国際調査報告】
2021531055.tif 000015
2021531055.tif 000016